(57)【要約】【課題】  様々な場所においても、携帯端末の表示装置の視野角をその都度、ユーザが手動で設定変更することを要しない携帯端末を得ることを目的としている。【解決手段】  視野角の変更が可能な視野角制御型の表示部５と、現在位置情報を検出するＧＰＳ受信部１と、位置情報に対応した視野角情報を格納する視野角情報格納部２と、ＧＰＳ受信部１で検出した現在位置情報に基づいて、視野角情報格納部２から、現在位置に応じた視野角情報を取得し、表示部５の視野角を制御する制御部４で構成されている。【選択図】        図１
2008153970.tif 000002
【特許請求の範囲】
【請求項１】
視野角が変更可能な表示部と、
現在位置情報を検出する位置検出部と、
位置情報に対応した視野角情報を格納する視野角情報格納部と、
前記位置検出部で検出した現在位置情報に対応する前記視野角情報格納部からの視野角情報に基づいて前記表示部の視野角を制御する制御手段とを備えた携帯端末。
【請求項２】
視野角情報格納部が時刻情報をさらに格納し、制御手段が現在位置情報と現在時刻情報に対応する視野角情報に基づいて表示部の視野角を制御することを特徴とする請求項１に記載の携帯端末。
【請求項３】
時刻を計時する計時部をさらに備え、
前記計時部で計時した現在時刻情報と現在位置情報に対応する視野角情報に基づいて表示部の視野角を制御することを特徴とする請求項２に記載の携帯端末。
【請求項４】
地図情報を格納する地図情報格納部をさらに備え、制御部が、前記地図情報格納部の地図情報に基づき、予め設定された位置情報に対応した視野角情報に応じて、視野角を制御することを特徴とする請求項１乃至請求項３のいずれかに記載の携帯端末。
【発明の詳細な説明】
【技術分野】
【０００１】
本発明は、携帯電話のように表示装置を備えた携帯端末に関し、特に表示装置の視野角が変更可能な携帯端末に関する。
【背景技術】
【０００２】
携帯電話機等の携帯端末の分野においては、表示される画面情報の漏洩を防止し、プライバシー保護を行う手法が各種提案されている。例えば、電車内にて携帯端末で画面情報を閲覧する場合に、視野角制御型の表示装置を用いて視野角を狭くすることで他人からの覗き見を防止することができる。特許文献１では、携帯端末に表示する情報の内容によって視野角を狭くすることを特徴とする携帯端末が開示されている。
【０００３】
【特許文献１】特開２００４−１１２７３３号公報（０００５段）
【発明の開示】
【発明が解決しようとする課題】
【０００４】
しかしながら、上記従来の携帯端末では、例えば在宅時には多人数で閲覧できるように携帯端末の視野角を広く設定し、外出時には他人に閲覧されないように視野角を狭く設定しておく等、ユーザの現在位置によって視野角を変更したい場合であっても、ユーザはその都度設定変更を行わなければならないという問題があった。また、ユーザが設定変更を忘れるという問題もあった。
【０００５】
本発明は、上記のような問題を解決するためになされたものであり、様々な場所においても、携帯端末の表示装置の視野角をその都度、ユーザが手動で設定変更することを要しない携帯端末を得ることを目的としている。
【課題を解決するための手段】
【０００６】
本発明に係る携帯端末は、視野角が変更可能な表示部と、現在位置情報を検出する位置検出部と、位置情報に対応した視野角情報を格納する視野角情報格納部と、位置検出部で検出した現在位置情報に対応する視野角情報格納部からの視野角情報に基づいて表示部の視野角を制御する制御手段とを備えたものである。
【発明の効果】
【０００７】
本発明によれば、携帯端末は、位置検出部で取得した現在位置情報に基づいて、現在位置に応じた視野角情報で表示部の視野角を設定することにより、様々な場所に対応して視野角を自動で変更でき、プライバシーの保護を図りながら利便性を向上できる。
【発明を実施するための最良の形態】
【０００８】
以下、本発明に係る携帯端末の各種実施の形態について、図面に基づいて説明する。
実施の形態１．
図１は、本実施の形態１における携帯端末１０１の構成を示すブロック図である。図１において、携帯端末１０１は、位置検出部としてのＧＰＳ（Ｇｌｏｂａｌ  Ｐｏｓｉｔｉｏｎｉｎｇ  Ｓｙｓｔｅｍ）受信部１、視野角情報格納部２、地図情報格納部３、制御手段としての制御部４、表示部５、操作部６から構成されている。
【０００９】
ＧＰＳ受信部１は、携帯端末１０１の現在位置情報を検出し、制御部４に出力する。視野角情報格納部２は、予め設定された位置情報に対応した視野角情報を格納する。図２は、視野角情報格納部２の格納内容を示す例である。位置情報は、空間領域を表しており、空間領域の範囲は緯度、経度、高度を表す数値により指定される。例えば、位置情報を表す空間領域が直方体の場合には、位置情報は８頂点の位置情報（緯度、経度、高度）から表現される。
【００１０】
制御部４は、ＧＰＳ受信部１から検出した現在位置情報に基づき、現在位置に対応する視野角情報を視野角情報格納部２から取得し、得られた視野角情報に基づき、表示部５の視野角を制御する。
【００１１】
表示部５は、視野角の変更が可能な視野角制御型の液晶表示装置等を備え、制御部４により視野角が制御される。操作部６は、テンキーやタッチパッドなどの入力インターフェースを備え、視野角等の入力や各種指示が入力操作される。
【００１２】
次に、図３のフローチャートに従い、本実施の形態１における携帯端末１０１の動作について説明する。まず、携帯端末１０１において、制御部４は、ＧＰＳ受信部１により現在位置情報（緯度、経度、高度）を検出する（Ｓ３０１）。
【００１３】
続いて、制御部４は、検出された現在位置情報に基づき、現在位置に対応する視野角を、視野角情報格納部２から検索し、取得する（Ｓ３０２）。検索は、取得した現在位置情報（緯度、経度、高度）に基づき、現在位置情報が含まれる空間領域を示す位置情報から、対応する視野角情報を取得する方法で行われる。
【００１４】
次いで、制御部４は、表示部５の現状の視野角の値と、取得した現在位置で設定すべき視野角の値を比較し、一致するか否か判断する（Ｓ３０３）。取得した視野角の値と一致しない場合には、制御部４は、表示部５の視野角を、現在位置で設定すべき視野角に変更する（Ｓ３０４）。
【００１５】
なお、ここでは視野角情報格納部２に格納する予め設定された視野角情報を用いたが、操作部６を操作することにより、地図情報格納部３に格納する地図情報を表示部５に表示して、視野角情報格納部２に格納されている位置情報と設定すべき視野角との対応表を予め変更しておいてもよい。
【００１６】
この場合、表示された地図情報格納部３に格納された地図を閲覧し、位置（緯度、経度、高度）を指定することにより、容易に視野角情報を変更したり、追加したりすることができる。具体的な手法としては、例えば、地図上の１点と高度を指定することで、基準となる緯度、経度、高度を決定し、空間領域の形状（直方体、球など）を指定することで、位置情報を決定し、操作部６から対応する視野角情報を入力する。
【００１７】
以上のように、本実施の形態１では、ＧＰＳ受信部１で検出した現在位置情報に基づいて、視野角情報格納部２から現在位置に応じた視野角情報を取得し、表示部５の視野角を設定するようにしたので、様々な場所に対応して視野角を自動で変更でき、プライバシーの保護を図りながら利便性を向上できる。また、地図情報格納部３を備えるようにしたので、容易に視野角情報を変更したり、追加したりすることができる。
【００１８】
実施の形態２．
本実施の形態１の携帯端末１０１においては、ＧＰＳ受信部１で取得した現在位置情報に基づいて視野角を設定する場合について示したが、本実施の形態２では、さらに時刻情報に基づいて視野角を設定する場合について示す。
【００１９】
図４は、本実施の形態２における携帯端末２０１の構成を示すブロック図である。図４において、携帯端末２０１は、実施の形態１の構成にさらに計時部７を備える。視野角情報格納部８は、予め設定された位置情報と時刻情報に対応した視野角情報を格納する。図５は、視野角情報格納部８の格納内容を示す例である。
【００２０】
制御部９は、ＧＰＳ受信部１から検出した現在位置情報と計時部７で計時した現在時刻情報に基づき、現在位置と現在時刻に対応した視野角情報を視野角情報格納部８から取得し、得られた視野角情報に基づき、表示部５の視野角を制御する。
【００２１】
また、制御部９は、ＧＰＳ受信部１からの現在位置情報と計時部７で検出した現在時刻情報に基づき算出される速度情報等により、電車、バス乗車等の位置情報としての判断も行う。具体的には、制御部９は、一回目の現在位置情報と所定時間経過後の二回目の現在位置情報から移動速度を算出し、所定速度以上の移動速度が算出された場合は、現在位置情報に基づき、線路上であれば電車内、道路上であればバス内として位置情報を判断する。
【００２２】
その他の構成に関しては、実施の形態１と同様であり、相当部分には図１と同一符号を付して説明を省略する。
【００２３】
次に、図６のフローチャートに従い、本実施の形態２における携帯端末２０１の動作について説明する。まず、携帯端末２０１において、制御部９は、ＧＰＳ受信部１により現在位置情報（緯度、経度、高度）を検出し（Ｓ６０１）、計時部７により現在時刻情報を検出する（Ｓ６０２）。
【００２４】
続いて、制御部９は、検出された現在位置情報と現在時刻情報に基づき、対応する視野角を、視野角情報格納部８から検索し、取得する（Ｓ６０３）。検索は、取得した現在位置情報（緯度、経度、高度）と現在時刻情報に基づき、現在位置情報が含まれる空間領域を示す位置情報と時刻情報から、対応する視野角情報を取得する方法で行われる。
【００２５】
次いで、制御部９は、表示部５の現状の視野角の値と、取得した現在位置・時刻で設定すべき視野角の値を比較し、一致するか否か判断する（Ｓ６０４）。取得した視野角の値と一致しない場合には、制御部９は、表示部５の視野角を、現在位置・時刻で設定すべき視野角に変更する（Ｓ６０５）。
【００２６】
なお、ここでは視野角情報格納部２に格納する予め設定された視野角情報を用いたが、操作部６を操作することにより、地図情報格納部３に格納する地図情報を表示部５に表示して、視野角情報格納部８に格納されている位置情報及び時刻情報と設定すべき視野角との対応表を予め変更しておいてもよい。
【００２７】
この場合、表示された地図情報格納部３に格納された地図を閲覧し、位置（緯度、経度、高度）を指定することにより、容易に時刻情報や視野角情報を変更したり、追加したりすることができる。具体的な手法としては、例えば、地図上の１点と高度を指定することで、基準となる緯度、経度、高度を決定し、空間領域の形状（直方体、球など）を指定することで、位置情報を決定し、操作部６から対応する時刻情報・視野角情報を入力する。
【００２８】
以上のように、本実施の形態２では、ＧＰＳ受信部１で検出した現在位置情報と計時部７で検出した現在時刻情報に基づいて、視野角情報格納部８から現在位置と現在時刻に応じた視野角情報を取得し、表示部５の視野角を設定するようにしたので、様々な場所だけでなく、時間帯に応じて視野角を自動で変更でき、プライバシーの保護を図りながら利便性を向上できる。また、地図情報格納部６を備えるようにしたので、容易に時刻情報や視野角情報を変更したり、追加したりすることができる。
【図面の簡単な説明】
【００２９】
【図１】本発明に係る携帯端末の実施の形態１の構成を示すブロック図である。
【図２】本発明に係る携帯端末の実施の形態１の視野角情報の一例を示す図である。
【図３】本発明に係る携帯端末の実施の形態１の動作手順を示すフローチャート図である。
【図４】本発明に係る携帯端末の実施の形態２の構成を示すブロック図である。
【図５】本発明に係る携帯端末の実施の形態２の視野角情報の一例を示す図である。
【図６】本発明に係る携帯端末の実施の形態２の動作手順を示すフローチャート図である。
【符号の説明】
【００３０】
１  ＧＰＳ受信部
２、８  視野角情報格納部
３  地図情報格納部
４、９  制御部
５  表示部
７  計時部
１０１、２０１  携帯端末
【図１】
2008153970.tif 000003
【図２】
2008153970.tif 000004
【図３】
2008153970.tif 000005
【図４】
2008153970.tif 000006
【図５】
2008153970.tif 000007
【図６】
2008153970.tif 000008